(57)【要約】      （修正有）【課題】本体とうろこ取り部とが同一系内に収められて簡単に持ち運びでき、作業性が特段に向上し、電動ドリルの回転速度の調整操作が簡易なうろこ取り機を提供する。【解決手段】電動ドリル４を位置決め収納する駆動ボックス３を移動停止自在な架台６に設ける。また摺動台１７にターンテーブル１９を介して案内される案内座１８に上下揺動自在に駆動ボックス３を支持する。電動ドリル４のチャック２１に接合されるうろこ取り部２は、架台６に接合される吊下支柱３３を介してコイルスプリング３６に係着される。スピードコントローラー５は駆動ボックス３の前面に突出した回転ノブ２９により、ネジ軸３０を介してその先端部の押圧ヘッド３２で引金スイッチ３１を押圧する。【選択図】図１
0003199504.tif 000002
【実用新案登録請求の範囲】
【請求項１】
駆動ボックスにチャックを突出して電動ドリルを位置決め収納し、スピードコントローラーにより前記電動ドリルの回転速度を調整し、前記駆動ボックスが支持手段で支持されて成るうろこ取り機本体と、前記チャックに一端が係着され、他端にグリップ部が係着されるフレキシブルシャフトと、前記グリップ部の先端に剥ぎ取り刃部が係着され、吊下手段で吊下されて成るうろこ取り部とから成ることを特徴とするうろこ取り機。
【請求項２】
前記スピードコントローラーが、前記チャックの上部で前記駆動ボックスの前面から突出する回転ノブと、該回転ノブと一体で前記駆動ボックスに前後進自在に位置決め螺合されるネジ軸と、該ネジ軸の先端部に取着され、引金スイッチを押圧する押圧ヘッドとから成ることを特徴とする請求項１記載のうろこ取り機。
【請求項３】
前記うろこ取り部の吊下手段が、前記支持座の上面に接合される吊下支柱と、該吊下支柱の先端部で鉛直軸心回りに揺動自在に軸支される揺動棒と、該揺動棒に巻き回されて一端が係止され、他端にフックを係着したコイルスプリングと、前記フレキシブルシャフトの要所に取着される吊下ピースとから成ることを特徴とする請求項１記載のうろこ取り機。
【請求項４】
前記うろこ取り機本体の支持手段が、移動停止自在な架台と、該架台の支持座の上面に接合される摺動台と、前記チャックを上下に揺動し得る方向で前記駆動ボックスを軸支し、ターンテーブルを介して前記摺動台に案内されるＵ状の案内座とから成ることを特徴とする請求項１記載のうろこ取り機
【請求項５】
前記うろこ取り機本体の支持手段において、前記架台に代えて、支持座の下面に所要数のマグネット脚を垂下して成ることを特徴とする請求項４記載のうろこ取り機。
【考案の詳細な説明】
【技術分野】
【０００１】
本考案は、円錐台形の剥ぎ取り刃部を回転させて魚の鱗を取るうろこ取り機で、任意の作業台の位置への持ち運びが簡易な支持手段を備えるうろこ取り機に関する。
【背景技術】
【０００２】
本出願人は、駆動源である電動機（電動ドリル）を作業台の高さに適宜に吊り下げるとともに、電動機の動力を伝達するフレキシブルシャフトを介して剥ぎ取り刃部とそのグリップ部を吊り下げワイヤーで吊り下げ保持するうろこ取り機（特許文献１を参照）を提案済みである。
このうろこ取り機は、作業台の位置に対して、電動機と剥ぎ取り刃部とが別々に吊下されるため、作業台が変わればこれらの吊下作業も伴い、手間取ることとなり、不具合をきたしていた。
そこで、電動機を含むうろこ取り機本体と剥ぎ取り刃部を含むうろこ取り部とが同一系内に収められて、簡単に持ち運び出来る作業性の良好なうろこ取り機の開発が要望されていた。
また、剥ぎ取り刃部の回転速度制御が、電動ドリルの引金スイッチをドライバーで操作して行われていたので、操作性が悪く、改善が要望されていた。
【先行技術文献】
【特許文献】
【０００３】
【特許文献１】実用新案登録第３１９７５２９号
【考案の概要】
【考案が解決しようとする課題】
【０００４】
本考案は、魚の鱗を剥ぎ取る作業台に対して、電動ドリルを含むうろこ取り機本体と、剥ぎ取り刃部を含むうろこ取り部とが同一系内に収められて簡単に持ち運びされ、作業性が特段に向上するとともに、電動ドリルの回転速度の調整操作が簡易なうろこ取り機の提供をその目的とする。
【課題を解決するための手段】
【０００５】
本考案のうろこ取り機は、駆動ボックスにチャックを突出して電動ドリルを位置決め収納し、スピードコントローラーにより前記電動ドリルの回転速度を調整し、前記駆動ボックスが支持手段で支持されて成るうろこ取り機本体と、前記チャックに一端が係着され、他端にグリップ部が係着されるフレキシブルシャフトと、前記グリップ部の先端に剥ぎ取り刃部が係着され、吊下手段で吊下されて成るうろこ取り部とから成るうろこ取り機において、
前記スピードコントローラーが、前記チャックの上部で前記駆動ボックスの前面から突出する回転ノブと、該回転ノブと一体で前記駆動ボックスに前後進自在に位置決め螺合されるネジ軸と、該ネジ軸の先端部に取着され、引金スイッチを押圧する押圧ヘッドとから成り、
前記うろこ取り機本体の支持手段が、移動停止自在な架台と、該架台の支持座の上面に接合される摺動台と、前記チャックを上下に揺動し得る方向で前記駆動ボックスを軸支し、ターンテーブルを介して前記摺動台に案内されるＵ状の案内座とから成り、
前記うろこ取り部の吊下手段が、前記支持座の上面に接合される吊下支柱と、該吊下支柱の先端部で鉛直軸心回りに揺動自在に軸支される揺動棒と、該揺動棒に巻き回されて一端が係止され、他端にフックを係着したコイルスプリングと、前記フレキシブルシャフトの要所に取着される吊下ピースとから成る。
また、本考案のうろこ取り機は、前記うろこ取り機本体の支持手段において、前記架台に代えて、前記支持座の下面に所要数のマグネット脚を垂下して成る。
【考案の効果】
【０００６】
本考案のうろこ取り機によれば、うろこ取り機本体の支持手段において、うろこ取り部の吊下手段が設けられるから、任意の作業台の位置に簡易に持ち運び移動でき、しかも、駆動ボックスを上下揺動自在に軸支するＵ状の案内座は、摺動台に対して前後左右に揺動自在に案内されるから、手作業には不要な構造上の抵抗をかけることもなく、その労力が大幅に軽減され、作業能率も向上し、うろこ取り加工コストの低減に寄与できる上、電動ドリルの回転速度調整が回転ノブによってネジ軸を介して押圧ヘッドで引金スイッチを操作出来るから操作性が格段に向上するものである。
【図面の簡単な説明】
【０００７】
【図１】本考案に係るうろこ取り機の正面図である。
【図２】基台の平面図である。
【図３】支柱の斜視図である。
【図４】本考案に係るうろこ取り機のうろこ取り作業状態の説明図である。
【図５】本考案に係るうろこ取り機の他の実施態様の正面図である。
【考案を実施するための形態】
【０００８】
本考案のうろこ取り機の一実施例を添付図面に基づいて、以下に説明する。
本考案のうろこ取り機Ａは、図１の正面図に示すように、うろこ取り機本体１と、うろこ取り部２とから成り、前記うろこ取り機本体１は、駆動ボックス３に電動ドリル４を位置決め収納し、スピードコントローラー５が設けられる。
前記うろこ取り機本体１とうろこ取り部２を支持する架台６は、上端の角筒状の支持座７と、図３の斜視図に示す逆Ｔ字形の支柱８と、図２の平面図に示す下端の基台９とから成り、該基台９は、開口部10を右方に向けた横向きＵ状の枠体１１と、左方の両隅角に設ける高さ調整脚１２と、右方の下面両端部に設ける小型車輪１３とから成り、前記支柱８はその上端に支持座７を接合する接合板１４が溶着され、下端には前記枠体１１の開口部１０に接合される接合骨１５が溶着されて成り、該接合骨１５の長手方向両端に溶着された接合座１６がそれぞれ枠体１１の上面（両横骨の上面）にボルト、ナットで接合される。なお、高さ調整脚１２は上方のノブでネジ軸を介して下方の逆さ椀型の脚が上下操作されるものである。
【０００９】
本考案における移動停止自在な架台６は、上端の支持座７と下端の基台９と両者を接合する逆Ｔ形の支柱８とから成り、下端の基台９に設ける高さ調整脚１２と小型車輪又はキャスターとの組み合わせによって、移動時にはノブを回転して逆さ椀型の高さ調整脚１２を引っ込めて小型車輪又はキャスターで移動され、停止時には逆に高さ調整脚１２を伸長させ、摩擦抵抗を負荷して停止状態を確保するなどである。このほか、架台６に代えて図５の正面図に示すように、支持座７の下面に所要数のマグネット脚４２を垂下し、吸着磁力の吸着、解放で移動停止自在とする。また、うろこ取り部２の吊下手段において、前記支持座７の上面に接合される吊下支柱３３は、六角ボルトなどで螺着されるものから、マグネット座などで吸着されるものなどである。
【００１０】
このようにして成る架台６にはその支持座７において、図１に示すように、左右方向（前後）を摺動方向とする摺動台１７が接合され、該摺動台１７の摺動子（図示省略）には左右方向から見てＵ状の案内座１８が下面に接合したターンテーブル１９を介して左右に移動自在に、かつ、鉛直軸心回りに揺動自在に案内され、さらに、前記案内座１８には駆動ボックス３の両側面に突設された係着軸２０が係合される。したがって、前記駆動ボックス３は案内座１８に対して上下に３０度の範囲で揺動自在に軸支される。
そして、前記駆動ボックス３には摺動方向前面にチャック２１を突出した状態で電動ドリル４が収納され、該電動ドリル４はその首部が、前記駆動ボックス３の内面で上下に二つ割の挟持座２２で挟持されて位置決めされ、その後部は駆動ボックス３の後方座面に接合された係着座２３を介して押しボルト２４で押圧されて位置決めされる。
【００１１】
前記電動ドリル４のチャック２１にはうろこ取り部２として、要所に吊下ピース２５が取着されたフレキシブルシャフト２６の一端が係着され、その他端にはグリップ部２７が係着され、該グリップ部２７の先端には円錐台状の剥ぎ取り刃部２８が係着されて成る。
さらに、駆動ボックス３のチャック２１の上部にはスピードコントローラー５が、その前面から突出する回転ノブ２９と、該回転ノブ２９と一体で該駆動ボックス３に前後進自在に位置決め螺合されるネジ軸３０と、該ネジ軸３０の先端部に取着され、前記電動ドリル４の引金スイッチ３１を押圧する押圧ヘッド３２とから成る。したがって、回転ノブ２９の回転操作で電動ドリル４の回転速度を調整できるから、その操作性が特段に向上する。因みに、このスピードコントローラー５では、最高回転数毎分３０００回転まで速度調整ができるものである。
【００１２】
一方、前記支持座７の上方には、うろこ取り部２の吊下手段が設けられるが、このものは前記支持座７の上面に接合される略逆Ｕ字状の吊下支柱３３と、該吊下支柱３３の先端部で鉛直軸心回りに揺動自在に軸支される揺動棒３４と、該揺動棒３４に巻き回されて一端が係止され、他端にフック３５が係着されたコイルスプリング（樹脂チューブが被覆されたもの）３６とから成る。
【００１３】
次に、本考案のうろこ取り機の操作動作を添付図面に基づいて、以下に説明する。
このようにして成るうろこ取り機Ａは、図１の仮想線で示すように、コイルスプリング３６の下端に設けたフック３５の吊りワイヤー４５がうろこ取り部２の吊下ピース２５に係止されて剥ぎ取り刃部２８を含む自重がコイルスプリング３６の弾発力で手元ゼログラムの無重力状態が保持され、電動ドリル４の電源コードのプラグ３７がコンセント３８に挿し込まれ、スイッチボックス３９からの電源コードのプラグ４３を電源側のコンセント（図外）に挿し込み、スイッチボックス３９のスイッチ４０が入れられて、うろこ取り部２を持ち上げる力は必要なく前記グリップ部２７を押し下げるわずかな力で魚４１のうろこ取り作業になる。
吊りワイヤー４５は刃先の落下防止と破損を防ぐためと、刃先への絡み、巻き込み防止のために大きな働きをしている。グリップ部２７の握り手は支点が吊りワイヤー４５の留め具、体寄りのところにあり重みを受ける先端方向には向かわない。逆にワイヤーを装着しないで作業をする場合は時間の経過とともに手首が疲れ、軽い方の先端にとずれ込み、握り手が刃先に触れることになる。これがワイヤー破損の大きな原因と巻き込み事故につながり、ここが既存との大きな違いである。
この作業は、図４の説明図に示すように、作業台上で魚４１の頭部が保持されて尾の方向から頭部方向に向けて剥ぎ取り刃部２８の右回転で魚４１の鱗を剥ぎ取るものであるが、この時、作業者の手元にかかる負担が軽減され、しかも、駆動ボックス３はうろこ取りに要求される剥ぎ取り刃部の可動範囲の２倍の距離を前後移動できるので、剥ぎ取り刃部２８が使い易くなることと、作業者が疲れないことと、フレキシブルシャフト２６にも負担が掛からないため、壊れ難いなどの特徴的な効果を呈するものである。なお、吊下支柱３３の水平部材の上面に設けた丸棒状の係止駒４４には予備のうろこ飛散防止カバー（図外）が係着される。
【００１４】
また、図５の正面図に示したうろこ取り機Ｂは、先の説明で示したうろこ取り機Ａの架台６の支柱８と基台９を除去し、支持座７の下面に所要数のマグネット脚４２を垂下し、うろこ取り機本体１を簡易化したもので、任意の作業台に持ち運ばれて作業台の上部、脚部に磁力で吸着されて魚４１のうろこ取りに使用されるもので、前述した効果に加えて、うろこ取り機本体１が作業台の高さに左右されないことである。
このほか、うろこ取り部２の吊下手段において、吊下支柱３３と架台６の支持座７との接合で、吊下支柱３３の下面にマグネット座（図外）を設けて磁力で支持座７に吊下支柱３３を接合するなどで、これによれば分解組立が極めて簡易となり、梱包コストも安価となる。
【産業上の利用可能性】
【００１５】
本考案は、魚類の加工業界において、うろこ取り作業の労力の軽減と作業能率の向上で加工コストを低減できるので、その需要増大を期待できる。
【符号の説明】
【００１６】
１  うろこ取り機本体
２  うろこ取り部
３  駆動ボックス
４  電動ドリル
５  スピードコントローラー
６  架台
７  支持座
８  支柱
９  基台
１０  開口部
１１  枠体
１２  高さ調整脚
１３  小型車輪
１４  接合板
１５  接合骨
１６  接合座
１７  摺動台
１８  案内座
１９  ターンテーブル
２０  係着軸
２１  チャック
２２  挟持座
２３  係着座
２４  押しボルト
２５  吊下ピース
２６  フレキシブルシャフト
２７  グリップ部
２８  剥ぎ取り刃部
２９  回転ノブ
３０  ネジ軸
３１  引金スイッチ
３２  押圧ヘッド
３３  吊下支柱
３４  揺動棒
３５  フック
３６  コイルスプリング
３７  プラグ
３８  コンセント
３９  スイッチボックス
４０  スイッチ
４１  魚
４２  マグネット脚
４３  プラグ
４４  係止駒
４５  吊りワイヤー
A、Ｂ  うろこ取り機
【図１】
0003199504.tif 000003
【図２】
0003199504.tif 000004
【図３】
0003199504.tif 000005
【図４】
0003199504.tif 000006
【図５】
0003199504.tif 000007